(57)【要約】【課題】  外装部品を追加することなく遠隔操作を行うことができる位置に遠隔操作用の受光素子を配置すること。【解決手段】  ビデオカメラ１００を操作したり調整したりする遠隔操作が可能な撮像装置であって、装置本体の内部の基板と、前記基板上に設けられた貫通穴を有するジャックと、基板上に設けられた遠隔操作の受光素子とを有し、遠隔操作用の受光素子は、前記貫通穴を有するジャックの内部に配置されることを特徴とする撮像装置。特徴とする。【選択図】  図２
2014110513.tif 000002
【特許請求の範囲】
【請求項１】
装置を操作または調整する遠隔操作が可能な撮像装置であって、
装置本体の内部の基板と、
前記基板上に設けられた貫通穴を有するジャックと、
前記基板上に設けられた前記遠隔操作のためのの受光素子とを有し、
前記受光素子は、前記貫通穴を有するジャックの内部に配置されることを特徴とする撮像装置。
【請求項２】
前記貫通穴を有するジャックと前記受光素子は同一の基板に実装されていることを特徴とする請求項１に記載の撮像装置。
【請求項３】
前記貫通穴を有するジャックの内部の開口に板金を配置したことを特徴とする請求項１または２に記載の撮像装置。
【請求項４】
前記板金は貫通穴に対し、角度を持って配置したことを特徴とする請求項３項に記載の撮像装置。
【請求項５】
前記貫通穴を有するジャックは複数あり、前記複数のジャックの間に前記受光素子を配置したことを特徴とする請求項１ないし４の何れか１項に撮像装置。
【請求項６】
前記貫通穴を有するジャックは表示部の内側に配置されていることを特徴とする請求項１ないし５の何れか１項に撮像装置。
【請求項７】
前記貫通穴を有するジャックの開口の中心と前記受光素子の受光部の中心は一致することを特徴とする請求項１ないし６の何れか１項に記載の撮像装置。
【発明の詳細な説明】
【技術分野】
【０００１】
本発明は遠隔操作（リモートコントロール操作／リモコン操作）用の受光素子を有する撮像装置に関するものである。
【背景技術】
【０００２】
ビデオカメラやデジタルカメラなどの撮像装置は機器調整用としてサービスモードを有している。このような撮像装置では内部に配置された基板に外部からコネクタを差し込み、修理時の機器調整を行っていた。しかし、外装カバーに設けられたコネクタ接続用の蓋と外装カバーの隙間から静電気が入り込むことでおこる部品破壊を防ぐことは困難であった。そこで、開口部にコネクタを挿しこまない方法として、特許文献１に記載されているように、撮像装置の外部から赤外発光のリモコン装置（遠隔操作装置）を利用し、撮像装置に内蔵されているリモコン受光素子に対して信号の送信を行い、撮像装置を調整する方法がある。
【先行技術文献】
【特許文献】
【０００３】
【特許文献１】特開平６−２８９２６０
【発明の概要】
【発明が解決しようとする課題】
【０００４】
しかしながら上記従来例では、撮像装置の調整を行うには、リモコン受光素子を覆うための赤外線透過性樹脂を使用したカバーを、製品のリモコン受光素子周辺の外観部に組み込む必要があり、部品点数の増加及び製品の大型化という問題があった。
【０００５】
そのため、リモコン受光用の外装部品を新たに作ることなく、リモコン受光素子を用いて撮像装置の調整を行うことが求められている。
【課題を解決するための手段】
【０００６】
本発明は、装置を操作または調整する遠隔操作が可能な撮像装置であって、装置本体の内部の基板と、前記基板上に設けられた貫通穴を有するジャックと、前記基板上に設けられた前記遠隔操作のためのの受光素子とを有し、前記受光素子は、前記貫通穴を有するジャックの内部に配置されることを特徴とする。
【発明の効果】
【０００７】
本発明によれば、リモコン受光用の外装部品を新たに作ることなく、リモコン受光素子を用いて撮像装置の調整を行うことができる。
【図面の簡単な説明】
【０００８】
【図１】本発明に係わる撮像装置の全体図である。
【図２】本発明に係わる撮像装置のＡ−Ａ断面図である。
【図３】本発明に係わる撮像装置のＣ部拡大図である。
【図４】本発明に係わる撮像装置の底面視図である。
【図５】本発明に係わる撮像装置のＤ部拡大図である。
【発明を実施するための形態】
【０００９】
＜第１の実施形態＞
以下、本発明に係わる第１の実施の形態について図を参照しながら説明する。
【００１０】
図１に本発明の撮像装置の一例としてビデオカメラの外観図を示す。図１に示す、ビデオカメラ１００は本体部１０１と表示部１０２とから構成されている。表示部１０２はヒンジ１０３により本体部１０１に対して開閉及び回転可能に接続されている。次に、表示部収納面１０４は表示部１０２が開くと露出する。表示部収納面１０４は貫通穴を有し、外部と接続をするための第１の貫通ジャック１０５が配置されている。第１の貫通ジャック１０５は、開口部に外部接続プラグを差し込むことにより外部機器と接続し、アナログの映像や音声を出力することができるＡＶジャックである。
【００１１】
第２の貫通ジャック１０６は、第１の貫通ジャック１０５と同じように貫通穴を有し、開口部に外付けマイク機器を接続することにより、アナログ音声を入力することができるマイクジャックである。次に非貫通のジャック１０７は、開口部に外部接続プラグを差し込むことにより外部機器と接続し、デジタルの映像や音声を出力することができるＨＤＭＩジャックである。次に非貫通のジャック１０８は、開口部に外部接続プラグを差し込むことにより外部機器と接続し、デジタルの信号を送りデータを転送することができるＵＳＢジャックである。
【００１２】
図２は、図１に示す本体を第１の貫通ジャック１０５の中心を通る水平面でカットし、下方向から見た断面Ａ−Ａを示している。
【００１３】
ビデオカメラを制御するためのメイン基板２０１には、第１の貫通ジャック１０５や、リモコン受光素子２０２が実装されている。リモコン受光素子２０２にはリモコン（リモートコントロールの略、つまり遠隔操作用の操作部材）から発せられる赤外線信号を受信するリモコン受光窓２０２ａが配置されている。リモコン受光素子２０２によって赤外線信号を受信することでビデオカメラ１００を操作、調整することができる。
【００１４】
ジャック１０５〜１０８は表示部１０２の内側に配置されていることにより、収納状態において表示部１０２に覆われるため、ビデオカメラ未使用時のゴミの侵入や他のリモコン操作（遠隔操作）による誤動作を防ぐことができる。
【００１５】
次に図３は、図１に示したＣ部（第１の貫通ジャック１０５周辺）の拡大図である。第１の貫通ジャック１０５の開口内に、リモコン受光部の一部であるリモコン受光窓２０２ａが配置される。そして第１の貫通ジャック１０５とリモコン受光素子２０２は同一の基板に実装されることにより、位置ズレを防止している。尚、本実施例では、リモコン受光素子２０２の中心と第１の貫通ジャック１０５の開口の中心が略一致するように配置されている。
【００１６】
以上説明したように、リモコンを用いて第１の貫通ジャック１０５の開口部に信号を送ることにより、リモコン受光素子２０２が信号を受信しビデオカメラ１００を操作、調整することができる。更には、撮像装置の調整時には映像信号の出力を使用する場合が多いため、本実施例では、２つの貫通ジャックのうち音声入力端子であるＭＩＣジャックの奥にリモコン受光素子を配置している。
【００１７】
＜第２の実施形態＞
次に本発明の第２の実施の形態を示す。第２の実施の形態においては、複数の貫通ジャックを有している。図４はビデオカメラ４０１を底面から見た図であり、底面のカバーを外した状態を示している。
【００１８】
図４に示すビデオカメラ４０１を制御するためのメイン基板４０２には、第３の貫通ジャック４０３、第４の貫通ジャック４０４、リモコン受光素子４０５が実装されている。更にメイン基板４０２の外装側には放熱板金４０６が実装され、破線で示した発熱素子部４０７の熱を拡散する役割を持っている。放熱板金４０６は、位置決めダボ４０６ａ，４０６ｂを有している。放熱板金４０６は、位置決めダボ４０６ａ，４０６ｂによってメイン基板４０２に直接位置を決められて精度よく固定される。また、放熱板金４０６は赤外光を反射する材質であり、本実施例では、放熱効果も有するアルミ材である。
【００１９】
次にリモコン受光素子４０５は、第３の貫通ジャック４０３と第４の貫通ジャック４０４の間に配置されている。第３および第４の貫通ジャック４０３，４０４の間の距離は、同時に２本のケーブルを使用することができるように一定の距離を離している。このため、第３および第４の貫通ジャック４０３，４０４の間は、メイン基板４０２のデッドスペースになっており、リモコン受光素子４０５を配置することでメイン基板スペースを有効に利用することが可能となる。
【００２０】
次に図５は図４に示したＤ部の拡大図である。
【００２１】
矢印Ａは、第３の貫通ジャック４０３から入射したリモコンの赤外光線の軌跡である。反射面５０２は、板金４０６の一部であり、矢印Ａで示すリモコン光線５０１を反射するための面である。反射面５０２は、第３の貫通ジャック４０３の開口部の奥に配置され、第３の貫通ジャック４０３に対し角度を持って配置されており、リモコン受光素子４０５に光を反射させて光が届くように曲げ角度が設定されている。
【００２２】
矢印Ｂは、第４の貫通ジャック４０４から入射したリモコンの赤外光線の軌跡である。反射面５０４は、板金４０６の一部であり、矢印Ｂで示すリモコン光線５０３を反射するための面である。反射面５０４は、貫通ジャック４０４の開口部の奥に配置され、貫通ジャック４０４に対し角度を持って配置されており、リモコン受光素子４０５に光を反射させて光が届くように曲げ角度が設定されている。また、反射面５０２と反射面５０４、更には放熱板金４０６は同一の部品で形成されている。
【００２３】
上記説明したように、第３の貫通ジャック４０３もしくは第４の貫通ジャック４０４どちらの開口からでも内部に配置されたリモコン受光素子４０５にリモコンの光線が届き、ビデオカメラ４０１を操作、調整することができる。このためどちらかの貫通ジャックが使用されていても、もう一つの貫通ジャックからリモコン操作を行うことができる。
【００２４】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００２５】
４０５  リモコン受光素子
４０６  放熱板金
【図１】
2014110513.tif 000003
【図２】
2014110513.tif 000004
【図３】
2014110513.tif 000005
【図４】
2014110513.tif 000006
【図５】
2014110513.tif 000007